(57)【要約】【課題】収納される飾り物の美的価値を余すところ無く引き出して鑑賞に供することができるようにした飾額を提供する。【解決手段】飾額１を、開口８の周縁を取り囲むように形成された枠板状の額縁材２と、該開口８に臨んでその背面側へ凹入するように形成された収納部７と、該収納部７内に収納された飾り物１０を照明するための照明手段１１を備えて構成する。係る構成によれば、上記飾り物１０を、周辺環境の照明に依存することなく、独自の照明手段１１によって照明することで、該飾り物１０の種類とか形体等の固有の条件に合わせて照明することができ、該飾り物１０の美的価値を余すところ無く表現してこれを鑑賞に供することができ、さらに照明の仕方によっては上記飾り物１０とこれが収容された飾額１とが渾然一体となって得られる美的価値をも鑑賞対象とすることができ、これらの相乗効果として、飾額１の商品価値が格段に向上する。【選択図】図１
2009184336.tif 000002
【特許請求の範囲】
【請求項１】
開口（８）の周縁を取り囲むように形成された枠板状の額縁材（２）と、該開口（８）に臨んでその背面側へ凹入するように形成された収納部（７）と、該収納部（７）内に収納された飾り物（１０）を照明するための照明手段（１１）を備えたことを特徴とする飾額。
【請求項２】
請求項１において、
上記収納部（７）が、上記開口（２ａ）を覆う透明板（５）と、該開口（２ａ）の周囲を取り囲む周壁材（３）と、該周壁材（３）の奥底に設けられた背面板（４）で構成されていることを特徴とする飾額。
【請求項３】
請求項１において、
上記照明手段（１１）が、上記収納部（７）内に配置された複数の発光素子（１２）、（１２）、・・で構成されていることを特徴とする飾額。
【請求項４】
請求項３において、
上記複数の発光素子（１２）、（１２）、・・は、点灯パターンが変更可能とされていることを特徴とする飾額。
【発明の詳細な説明】
【技術分野】
【０００１】    本願発明は、花飾り等の飾り物を収納し、これを鑑賞に供し得るようにした飾額に関するものである。
【背景技術】
【０００２】  この種の飾額の従来例としては、例えば、特許文献１、特許文献２に示されるものがある。【０００３】  特許文献１に示される飾額は、押し花が固定された装飾体本体を額に取付けて構成されるものであって、この際、上記押し花の花髄部に厚みをもたせて量感を出しているため、上記装飾体本体と透明なカバーとの間に空間部を設け、この空間部内に上記押し花を配置するようにしたものである。【０００４】  特許文献２に示される飾額は、押し花等の作品を、乾燥剤や脱酸素剤とともに収容するために、額本体を薄型箱状に形成し、ここに設けられた扁平空間内に上記作品等を収容するようにしたものである。【０００５】
【特許文献２】  特開２００３−０５５１０１号公報
【特許文献２】  特開２００５−２１９４７０号公報
【発明の開示】
【発明が解決しようとする課題】
【０００６】  ところで、飾額は、内部に収納した飾り物を鑑賞に供するためのものであることから、該飾り物を、それが本来有する美しさを強調して見せると同時に、これが収納された飾額と渾然一体となった美しさも要求されるものである。そのためには、飾り物の色彩とか造形を際立たせる照明効果も必要と考えられる。係る要求は、鑑賞対象の飾り物が、例えば、それ本来の形体を保持した造花とかプリザーブドフラワー等であって、その色彩とか形体の妙味等を鑑賞するものにおいては殊更である。【０００７】  しかるに、従来の飾額においては、専用の照明手段を備えず、単に飾額内に押し花等の作品を収納し、これを周辺環境の照明によって鑑賞させるようにしたものであることから、作品の種類とか形体等の諸条件の相違に拘らず、同じ明るさ、同じ照明形態で鑑賞することになり、各作品に特有の美的価値を感受することが困難である。【０００８】  尤も、従来は、作品が「押し花」のように、比較的扁平形体であって照明による陰影の妙をさほど必要としない、という背景があることも頷けるが、係る作品として、近年普及が著しい「プリザーブドフラワー」を採用する機会が増えるものと予想されることに鑑みれば、従来の飾額の形体、構成等を再考する必要性は高いものといえる。【０００９】  そこで本願発明は、収納される飾り物の美的価値を余すところ無く引き出して鑑賞に供することができるようにした飾額を提供することを目的としてなされたものである。
【課題を解決するための手段】
【００１０】  本願発明では、上記課題を解決するために以下のような構成を採用している。【００１１】  本願の第１の発明に係る飾額では、開口８の周縁を取り囲むように形成された枠板状の額縁材２と、該開口８に臨んでその背面側へ凹入するように形成された収納部７と、該収納部７内に収納された飾り物１０を照明するための照明手段１１を備えたことを特徴としている。【００１２】  本願の第２の発明では、上記第１の発明に係る飾額において、上記収納部７を、上記開口２ａを覆う透明板５と、該開口２ａの周囲を取り囲む周壁材３と、該周壁材３の奥底に設けられた背面板４で構成したことを特徴としている。【００１３】  本願の第３の発明では、上記第１の発明に係る飾額において、上記照明手段１１を、上記収納部７内に配置された複数の発光素子１２，１２、・・で構成したことを特徴としている。【００１４】  本願の第４の発明では、上記第３の発明に係る飾額において、上記複数の発光素子１２，１２、・・を点灯パターンが変更可能に構成したことを特徴としている。
【発明の効果】
【００１５】  本願発明では次のような効果が得られる。【００１６】  （ａ）本願の第１の発明に係る飾額によれば、上記収納部７内に収納された飾り物１０を、周辺環境の照明に依存することなく、該飾額１に備えられた独自の照明手段１１によって照明するものであることから、該飾り物１０の種類とか形体等の固有の条件に合わせて照明することができ、該飾り物１０の美的価値を余すところ無く表現してこれを鑑賞に供することができ、さらに照明の仕方によっては上記飾り物１０のみではなく、該飾り物１０とこれが収容された飾額１とが渾然一体となって得られる美的価値をも鑑賞対象とすることができ、これらの相乗効果として、飾額１の商品価値が格段に向上することになる。【００１７】  （ｂ）本願の第２の発明に係る飾額よれば、上記（ａ）に記載の効果に加えて以下のような特有の効果が得られる。即ち、この発明では、上記収納部７を、上記開口２ａを覆う透明板５と、該開口２ａの周囲を取り囲む周壁材３と、該周壁材３の奥底に設けられた背面板４で構成しているので、上記収納部７を比較的深さのあるスペースとして形成することができ、例えば、押し花等に扁平な作品に限らず、造花とかプリザーブドフラワー等の色彩とともに形体に基づく量感を有し、この量感による美しさが鑑賞対象とされるような飾り物１０をも容易に収納することができ、それだけ上記飾額１の利用範囲が拡大され、その汎用性が向上する。【００１８】  （ｃ）本願の第３の発明に係る飾額よれば、上記（ａ）に記載の効果に加えて以下のような特有の効果が得られる。即ち、この発明では、上記照明手段１１を、上記収納部７内に配置された複数の発光素子１２，１２、・・で構成しているので、この複数の発光素子１２，１２、・・の配置数とか配置パターン等を、上記収納部７に収納される飾り物１０の種類とか形態あるいは色彩に合わせて設定することで、該飾り物１０の美的価値をより的確に表現することができる。【００１９】  また、発光素子１２を用いることで、該発光素子１２がもつ「高輝度且つ低熱輻射性」という特性が有効に生かされ、例えば、プリザーブドフラワー等の非乾燥素材でなる飾り物１０を長期間その美的価値を維持したまま鑑賞に供することができる。【００２０】  （ｄ）本願の第４の発明に係る飾額よれば、上記（ｃ）に記載の効果に加えて以下のような特有の効果が得られる。即ち、この発明では、上記複数の発光素子１２，１２、・・の点灯パターンを、例えば、上記収納部７内に収納される飾り物１０の種類とか形態等に応じて適宜変更することで、該発光素子１２の配置パターンの設定と相まって、上記収納部７に収納される飾り物１０の美的価値をより一層的確に表現することができる。【００２１】  また、上記複数の発光素子１２，１２、・・の点灯パターンを、例えば、一定時間ごとに、あるいは時刻に応じて切り換えることで、本来、静的な美観を身上とする飾り物１０に、動的な美観要素を付与してその美的価値の多様化を図ることもでき、特に結婚式等のイベント会場においてはその効果が顕著である。
【発明を実施するための最良の形態】
【００２２】  以下、本願発明を好適な実施形態に基づいて具体的に説明する。【００２３】  図１及び図２には、本願発明の最良の実施の形態に係る飾額１を示している。この飾額１は、主として、プリザーブドフラワーとか造花等の量感のある飾り物１０を飾るに好適な飾額であって、図１及び図２に示すように壁面２１に取付具２２で吊り下げて使用されるとか（壁掛けタイプ）、図３に示すように室内の棚面２３上に衝立具２４により載置して使用される（衝立タイプ）ものであって、次述のように額縁材２と周壁材３と背面板４及び照明手段１１を備えて構成される。【００２４】  上記額縁材２は、所定厚さの板状体で構成されるもので、その略中央部に設けた矩形の開口８の周縁を取り囲むような枠板状の平面形体を有している。この開口８部分には、その裏面側からアクリル板等でなる透明板５が取付けられて、該額縁材２の外部から内部側を視認することができるようになっている。また、この透明板５の周縁部分には、その裏面側から帯状の縁材６が取付けられ、該縁材６によって上記透明板５の周縁部分が外部から目隠しされている。【００２５】  上記周壁材３は、上記額縁材２の裏面側に、上記開口８を取り囲むように取り付けられた壁体であって、上記額縁材２と一体化されている。この周壁材３の軸方向寸法（即ち、後述する収納部７の深寸法は、上記飾り物１０の大きさ、形体等を考慮して設定される。なお、上記開口８の周縁部分における上記額縁材２と上記周壁材３の接合部分は、上記縁材６によって外部から見えないように構成されている。【００２６】  上記背面板４は、上記周壁材３の後端縁部分に着脱自在に取付けられるものであって、該背面板４の上記周壁材３側への取り付け状態においては、該周壁材３及び上記透明板５とともに、上記開口８を通して外部に臨む所定大きさをもつ矩形深皿状の収納部７を形成している。そして、この収納部７内には、上掲各図に示すように飾り物１０が収容されるが、この飾り物１０の上記収納部７への出し入れは、上記背面板４を着脱して行われる。また、上記収納部７内に飾り物１０を収納した後における該飾り物１０の保持は、該飾り物１０を上記背面板４側に固定することで行われる。【００２７】  上記照明手段１１は、上記収納部７内に収納された飾り物１０を照明して該飾り物１０の美的価値を高めるという演出効果を発揮するものであって、この実施形態では、図１及び図２に示すように、複数個の発光素子（ＬＥＤ）１２でこれを構成している。そして、これら各発光素子１２は、上記周壁材３の上記額縁材２との接合部近傍に適宜間隔で取付けられる。この場合、各発光素子１２は、上記縁材６によって上記透明板５の外部から見えないように目隠しされ、これによって上記収納部７側の美観性が確保されている。【００２８】  なお、上記各発光素子１２の配置個数、配置位置（配置パターン）は、上記収納部７に収納予定の飾り物１０の種類とか形体等に応じて適宜選択される。また、上記各発光素子１２の発光色も、必ずしも同色に統一する必要はなく、例えば、上記飾り物１０の色彩とか形体等に応じて、複数の色を適宜選択して組み合わせることもできる。【００２９】  さらに、上記各発光素子１２の点灯パターン��、任意に選択できるようになっている。例えば、発光色毎に順番に、あるいは所定時間毎に、点灯させるとか、各発光素子１２を配置位置ごとにグループ化し、これらグループ毎に時間差をもって点灯させる、等である。【００３０】  以上のように構成された飾額１の使用に際しては、上記収納部７内に所要の飾り物１０を収納し且つこれを固定する。そして、この飾り物１０が取付けられた飾額１を、図１に示すような壁掛けタイプとして壁面２１に、あるいは図３に示すような衝立タイプとして棚面２３上に、それぞれ設置する。【００３１】  そして、この設置状態において、上記各発光素子１２を所定の点灯パターンで点灯させ、上記飾り物１０の色彩を際立たるとか、陰影をはっきりさせてその量感を表現するなどして、鑑賞に供するものである。【００３２】  このように構成され且つ使用される上記飾額１においては、以下のような特有の作用効果が得られる。【００３３】  （イ）  この実施形態の飾額１によれば、上記収納部７内に収納された上記飾り物１０を、周辺環境の照明に依存することなく、該飾額１に備えられた独自の照明手段１１によって照明するものであることから、該飾り物１０の種類とか形体等の固有の条件に合わせて照明することができ、該飾り物１０の美的価値を余すところ無く表現してこれを鑑賞に供することができる。さらに、照明の仕方によっては上記飾り物１０のみではなく、該飾り物１０とこれが収容された飾額１とが渾然一体となって得られる美的価値をも鑑賞対象とすることができ、これらの相乗効果として、飾額１の商品価値が格段に向上することになる。【００３４】  （ロ）  また、上記収納部７を、上記開口２ａを覆う透明板５と、該開口２ａの周囲を取り囲む周壁材３と、該周壁材３の奥底に設けられた背面板４で構成しているので、上記収納部７を比較的深さのあるスペースとして形成することができ、例えば、押し花等に扁平な作品に限らず、造花とかプリザーブドフラワー等の色彩とともに形体に基づく量感を有し、この量感による美しさが鑑賞対象とされるような飾り物１０をも容易に収納することができ、それだけ上記飾額１の利用範囲が拡大され、その汎用性が向上することになる。【００３５】  （ハ）  一方、この実施形態では、上記照明手段１１を、上記収納部７内に配置された複数の発光素子１２，１２、・・で構成しているので、この複数の発光素子１２，１２、・・の配置数とか配置パターン等を、上記収納部７に収納される飾り物１０の種類とか形態あるいは色彩に合わせて設定することで、該飾り物１０の美的価値をより的確に表現することができる。また、発光素子１２を用いることで、該発光素子１２がもつ「高輝度且つ低熱輻射性」という特性が有効に生かされ、例えば、プリザーブドフラワー等の非乾燥素材でなる飾り物１０を長期間その美的価値を維持したまま鑑賞に供することができる。【００３６】  （ニ）  さらに、上記複数の発光素子１２，１２、・・の点灯パターンを、例えば、上記収納部７内に収納される飾り物１０の種類とか形態等に応じて適宜変更することで、該発光素子１２の配置パターンの設定と相まって、上記収納部７に収納される飾り物１０の美的価値をより一層的確に表現することができる。【０���３７】  （ホ）  また、上記複数の発光素子１２，１２、・・の点灯パターンを、例えば、一定時間ごとに、あるいは時刻に応じて切り換えることで、本来、静的な美観を身上とする飾り物１０に、動的な美観要素を付与してその美的価値の多様化を図ることもでき、特に結婚式等のイベント会場においてはその効果が顕著である。【００３８】  その他
上記実施形態では、上記飾額１を、矩形状の平面形体をもつものを例として示したが、本願発明は係る構成に限定されるものではなく、例えば、これを多角形とか円形の平面形体をもつように構成することもできる。【００３９】  また、上記飾額１の収納部７に収納して鑑賞に供せられる飾り物１０としては、上記実施形態のようにプリザーブドフラワーに限定されるものではなく、例えば、造花、切花、写真、押し花等、種々のものを選択することができる。【００４０】  さらに、上記実施形態では、上記照明手段１１を、複数個の発光素子１２で構成する場合を例にとって説明したが、本願発明は係る構成に限定されるものではなく、他の実施形態においては、例えば、単一あるいは複数の電球で構成することもできるものである。
【図面の簡単な説明】
【００４１】
【図１】  本願発明に係る飾額を壁面に配置した状態を示す斜視図である。
【図２】  図１のＩＩ−ＩＩ拡大断面図である。
【図３】  図１に示した飾額の他の使用状態を示す斜視図である。
【符号の説明】
【００４２】    １    ・・飾額
２    ・・額縁材
３    ・・周壁材
４    ・・背面板
５    ・・透明板
６    ・・縁材
７    ・・収納部
８    ・・開口
１０    ・・飾り物
１１    ・・照明手段
１２    ・・発光素子
２１    ・・壁面
２２    ・・取付具
２３    ・・棚面
２４    ・・衝立具
【図１】
2009184336.tif 000003
【図２】
2009184336.tif 000004
【図３】
2009184336.tif 000005